(57)【要約】【課題】映像表示装置の表示器の輝度に色温度が対応しておらず違和感があった。表示器の輝度に対応するように色温度を自動調整することで、ユーザの視覚に違和感のない映像をユーザが視聴することができるようにする。【解決手段】表示器の画面の明るさを表す表示器の輝度及び色温度を調整できる映像表示装置であって、周囲の照度を計測して照度に応じた信号を出力する照度センサ６を備え、照度センサ６が計測した照度から表示器の輝度を決定する輝度決定部２６と、決定した輝度から映像信号のＲＧＢ階調を調整する階調カーブを補正し階調補正カーブとする色温度階調カーブ補正部２８と、映像信号のＲＧＢ階調を入力し階調補正カーブを表す関数式で変換したＲＧＢ階調を液晶パネル駆動部１７に出力する色温度調整手段を備える。【選択図】図１
2009031554.tif 000002
【特許請求の範囲】
【請求項１】
表示器の画面の輝度及び色温度を調整できる映像表示装置であって、
前記表示器の画面の輝度を調整する輝度調整手段と、
前記表示器の画面の輝度が高いときは色温度を高く、画面の輝度が低いときは色温度を低くするように前記表示器の画面の色温度を調整する色温度調整手段と、
を備えたことを特徴とする映像表示装置。
【請求項２】
周囲の照度を検出して出力する照度センサを備え、
前記輝度調整手段は、
前記照度センサが検出した照度から前記表示器の画面の輝度を決定することを特徴とする請求項１に記載の映像表示装置。
【請求項３】
前記輝度調整手段は、
前記照度センサが検出した照度が高いときは輝度を高く、照度が低いときは輝度を低くするように照度と前記表示器の画面の輝度を設定した照度輝度変換テーブルを記憶する記憶手段を備え、
前記照度輝度変換テーブルを参照して前記表示器の画面の輝度を決定することを特徴とする請求項２に記載の映像表示装置。
【請求項４】
前記輝度調整手段は、
ユーザが映像タイプを設定する映像ポジションから前記表示器の画面の輝度を決定することを特徴とする請求項１に記載の映像表示装置。
【請求項５】
前記輝度調整手段は、
ユーザが設定する前記映像ポジションの映像が明るいときは輝度を高くし、映像ポジションが暗いときは輝度を低くするように前記映像ポジションと前記表示器の画面の輝度を設定した映像ポジション輝度変換テーブルを記憶する記憶手段を備え、
前記映像ポジション輝度変換テーブルを参照して前記表示器の画面の輝度を決定することを特徴とする請求項４に記載の映像表示装置。
【請求項６】
周囲の照度を検出して出力する照度センサを備え、
前記輝度調整手段は、
前記照度センサが検出した照度と前記映像ポジションとから前記表示器の画面の輝度を決定することを特徴とする請求項４または請求項５に記載の映像表示装置。
【請求項７】
前記輝度調整手段は、
前記照度センサが検出した照度が高くかつ前記映像ポジションの映像が明るいときは前記表示器の画面の輝度を高くし、前記照度センサが検出した照度が低くかつ前記映像ポジションの映像が暗いときは前記表示器の画面の輝度を低くするように前記照度センサが検出した照度範囲、前記映像ポジション、及び前記表示器の画面の輝度を対応させて設定した照度映像ポジション輝度変換テーブルを記憶する記憶手段を備え、
前記照度映像ポジション輝度変換テーブルを参照して前記表示器の画面の輝度を決定することを特徴する請求項６に記載の映像表示装置。
【請求項８】
前記色温度調整手段は、
前記表示器の画面の輝度と映像信号のＲＧＢ階調との対応関係が設定された階調カーブを変更することによって前記表示器の画面の色温度を調整することを特徴とする請求項１から請求項７までのいずれか一項に記載の映像表示装置。
【請求項９】
前記色温度調整手段は、
前記表示器の画面の輝度が高いときは色温度を高くし、前記表示器の画面の輝度が低いときは色温度を低くするように前記階調カーブを補正する階調補正カーブの関数式を設定した輝度関数式変換テーブルを記憶する記憶手段を備え、
前記輝度関数式変換テーブルを参照して前記階調補正カーブを決定することを特徴とする請求項８に記載の映像表示装置。
【請求項１０】
前記色温度調整手段は、
前記階調カーブを表す関数式にて入力データと出力データの関係を設定した階調補正テーブルを記憶する記憶手段を備え、
前記記憶手段に記憶された前記階調補正テーブルは、
入力データと出力データの関係が前記表示器の画面の輝度に応じて変わるように前記関数式が変更されることを特徴とする請求項８または請求項９に記載の映像表示装置。
【請求項１１】
前記色温度調整手段は、
前記階調補正テーブルを参照して映像信号のＲＧＢ階調を補正し、該補正した映像信号を表示器に出力することを特徴とする請求項１０に記載の映像表示装置。
【請求項１２】
前記表示器は、
画面の色温度を調整できる液晶パネルと、
画面の輝度を調整できるバックライトと、
を備えたことを特徴とする請求項１から請求項１１までのいずれか一項に記載の映像表示装置。
【請求項１３】
表示器の画面の輝度及び色温度を調整できる映像表示方法であって、
前記表示器の画面の輝度を調整する輝度調整工程と、
前記表示器の画面の輝度が高いときは色温度を高く、前記表示器の画面の輝度が低いときは色温度を低くするように前記表示器の画面の色温度を調整する色温度調整工程と、
を備えたことを特徴とする映像表示方法。
【発明の詳細な説明】
【技術分野】
【０００１】
本発明は、映像表示装置及びその映像表示方法に係り、特に映像を表示するときに画面の輝度により、映像の表示色である色温度を調整することができる映像表示装置とその映像表示方法に関するものである。
【背景技術】
【０００２】
従来から、テレビジョン装置で放送番組を視聴する際、周囲の明るさに応じて表示器のの画面の輝度を調整するものや周囲の色温度に応じて表示器の画面の色温度を調整するものが知られている。例えば特許文献１に開示された発明は、周囲の明るさを検知するセンサを設け、周囲の明るさと映像表示モードに応じて液晶パネルのバックライトの輝度を調整するようにし、見易い映像表示を実現するようにしていた。また、特許文献２に開示された発明は、周囲の色温度を計測し、計測した色温度に最適な色温度で表示器を調整するようにし、見易い映像表示を実現するようにしていた。
【０００３】
【特許文献１】特開２００６−１１３６６号公報
【特許文献２】特開２００３−７８９２０号公報
【発明の開示】
【発明が解決しようとする課題】
【０００４】
しかしながら、上記の特許文献１に記載された従来技術は、表示器の画面の明るさは自動調整されていたが画面の色温度は調整していなかった。このため、照明環境が暗く、表示器の画面の明るさも暗いにも拘らず画面の色温度が高いままのときがあり、違和感があった。また、これとは逆に、照明環境が明るく、表示器の画面の明るさも明るいにも拘らず画面の色温度が低いままのときがあり、同様に違和感があった。
また、上記の特許文献２に記載された従来技術は、表示器の画面の色温度は自動調整されていたが表示器の画面の輝度は調整していなかった。このため、照明環境が暗く、表示器の画面の色温度が低いにも拘らず表示器の画面の輝度は高いままのときがあり、違和感があった。また、これとは逆に、照明環境が明るく、表示器の画面の色温度も高いにも拘らず表示器の画面の輝度が低いままのときがあり、同様に違和感があった。
【０００５】
本発明の目的は、表示器の画面の輝度に基づいて表示器に表示される画面の色温度を自動的に調整することができ、更にユーザの視覚に違和感のない映像をユーザが視聴することができる映像表示装置及びその映像表示方法を提供することである。
【課題を解決するための手段】
【０００６】
本発明の映像表示装置は、表示器の画面の輝度及び色温度を調整できる映像表示装置であって、
前記表示器の画面の輝度を調整する輝度調整手段と、
前記表示器の画面の輝度が高いときは色温度を高く、画面の輝度が低いときは色温度を低くするように前記表示器の画面の色温度を調整する色温度調整手段と、
を備えたことを特徴としている。
また、周囲の照度を検出して出力する照度センサを備え、
前記輝度調整手段は、
前記照度センサが検出した照度から前記表示器の画面の輝度を決定することを特徴としている。
また、前記輝度調整手段は、
前記照度センサが検出した照度が高いときは輝度を高く、照度が低いときは輝度を低くするように照度と前記表示器の画面の輝度を設定した照度輝度変換テーブルを記憶する記憶手段を備え、
前記照度輝度変換テーブルを参照して前記表示器の画面の輝度を決定することを特徴としている。
また、前記輝度調整手段は、
ユーザにより設定される映像ポジションから前記表示器の画面の輝度を決定することを特徴としている。
また、前記輝度調整手段は、
ユーザが設定する前記映像ポジションの映像が明るいときは輝度を高くし、映像ポジションが暗いときは輝度を低くするように前記映像ポジションと前記表示器の画面の輝度を設定した映像ポジション輝度変換テーブルを記憶する記憶手段を備え、
前記映像ポジション輝度変換テーブルを参照して前記表示器の画面の輝度を決定することを特徴としている。
また、周囲の照度を検出して出力する照度センサを備え、
前記輝度調整手段は、
前記照度センサが検出した照度と前記映像ポジションとから前記表示器の画面の輝度を決定することを特徴としている。
また、前記輝度調整手段は、
前記照度センサが検出した照度が高くかつ前記映像ポジションの映像が明るいときは前記表示器の画面の輝度を高くし、前記照度センサが検出した照度が低くかつ前記映像ポジションの映像が暗いときは前記表示器の画面の輝度を低くするように前記照度センサが検出した照度範囲、前記映像ポジション、及び前記表示器の画面の輝度を対応させて設定した照度映像ポジション輝度変換テーブルを記憶する記憶手段を備え、
前記照度映像ポジション輝度変換テーブルを参照して前記表示器の画面の輝度を決定することを特徴としている。
また、前記色温度調整手段は、
前記表示器の画面の輝度と映像信号のＲＧＢ階調との対応関係が設定された階調カーブを変更することによって前記表示器の画面の色温度を調整することを特徴としている。
また、前記色温度調整手段は、
前記表示器の画面の輝度が高いときは色温度を高くし、前記表示器の画面の輝度が低いときは色温度を低くするように前記階調カーブを補正する階調補正カーブの関数式を設定した輝度関数式変換テーブルを記憶する記憶手段を備え、
前記輝度関数式変換テーブルを参照して前記階調補正カーブを決定することを特徴としている。
また、前記色温度調整手段は、
前記階調カーブを表す関数式にて入力データと出力データの関係を設定した階調補正テーブルを記憶する記憶手段を備え、
前記記憶手段に記憶された前記階調補正テーブルは、
入力データと出力データの関係が前記表示器の画面の輝度に応じて変わるように前記関数式が変更されることを特徴としている。
また、前記色温度調整手段は、
前記階調補正テーブルを参照して映像信号のＲＧＢ階調を補正し、該補正した映像信号を表示器に出力することを特徴としている。
また、前記表示器は、
画面の色温度を調整できる液晶パネルと、
画面の輝度を調整できるバックライトと、
を備えたことを特徴としている。
また、表示器の画面の輝度及び色温度を調整できる映像表示方法であって、
前記表示器の画面の輝度を調整する輝度調整工程と、
前記表示器の画面の輝度が高いときは色温度を高く、前記表示器の画面の輝度が低いときは色温度を低くするように前記表示器の画面の色温度を調整する色温度調整工程と、
を備えたことを特徴としている。
【発明の効果】
【０００７】
本発明によれば、周囲の照度に応じて表示器の画面の輝度を自動的に調整でき、更に表示器の画面の輝度に基づいて表示器に表示される画面の色温度を自動的に調整することが出来るので、周囲の照度と表示器の画面の輝度に応じた色温度に自動的に調整することが出来る。
【発明を実施するための最良の形態】
【０００８】
以下、本発明の実施形態について図面を参照して説明する。
（第１の実施の形態）
図１は、本発明の第１の実施形態である映像表示装置の主要な構成を示す機能ブロック図である。この映像表示装置は、受信した映像信号のＲＧＢ階調を調整する階調カーブにより変換することで映像信号のＲＧＢ階調の調整を行う。また、表示器は、液晶パネルとバックライトから構成されるものとし、ＲＧＢ階調の調整を行った映像信号を液晶パネルに出力し、照度センサにより計測した照度で調整を行った輝度をバックライトインバータ制御部に出力する。
本発明の第１の実施形態は、上記映像表示装置において、照度センサにより計測した照度に応じてバックライト輝度を決定し、バックライト輝度に応じた色温度となるＲＧＢ階調で液晶パネルの色合いを調整することで、画面の色温度を自動的に調整する実施形態である。本第１の実施形態における表示器の画面の輝度はバックライトの輝度に対応している。
【０００９】
図１の映像表示装置１は、放送電波から放送信号を受信する装置であるアンテナ２で受信した映像信号または通信インターフェース部２３から受信した外部装置７の映像信号を、液晶パネル３に出力する。また、映像表示装置１は、ユーザがリモコン５から設定する操作を入力することが出来る。
この映像表示装置１には周囲の照度を計測する照度センサ６が接続され、照度センサ６が計測した照度に応じた画面の輝度信号を、バックライト４に出力する。
【００１０】
以下、図１の映像表示装置１の構成について説明する。
【００１１】
チューナ１１は、所望の放送番組のデータが含まれる放送電波を選択して復調し、映像信号、音声信号、制御信号、誤り訂正処理などを施した信号などが多重されたトランスポートストリーム信号（物理チャンネルのＴＳ信号）であるＴＳパケットを出力する。
【００１２】
ＴＳデコーダ１２は、このＴＳパケットから所望の放送番組の映像信号及び音声信号を抽出する。ＴＳデコーダ１２が抽出した映像信号及び音声信号は、ＭＰＥＧ−２の圧縮技術によって圧縮、符号化されているデジタルデータである。図１では映像デコーダに出力される映像信号のみを示し、その他の音声信号などについては図示を省略している。
【００１３】
映像デコーダ１３は、ＴＳデコーダ１２から入力したＭＰＥＧ−２の圧縮技術によって圧縮、符号化されている映像信号を伸長し復号化する。また映像デコーダ１３は、システムコントローラ１９からの指令により通信インターフェース部２３から映像信号を入力するように切替えられているときは、通信インターフェース部２３から外部装置７の映像信号を入力する。映像デコーダ１３は、映像信号を下記Ｙ、Ｃb、Ｃrに変換して扱う。
Ｙ   ：  輝度信号、画面の輝度を表す。
Ｃb  ：  Ｂ−Ｙの色差信号、Ｂ(blue)
Ｃr  ：  Ｒ−Ｙの色差信号、Ｒ(red)
【００１４】
輝度色差階調変換部１４は、映像デコーダ１３から出力される映像信号の輝度と色差であるＹ、Ｃb、Ｃrを、画素毎のＲ(red)、Ｇ(green)、Ｂ(blue)各々について２５６の階調(映像信号のＲＧＢ階調)に変換する。
【００１５】
階調補正テーブル１５には、図２に示すように入力階調ｘに映像信号の２５６階調を設定し、出力階調ｙに予め決めた階調カーブを表す関数式で変換したＲＧＢ階調をそれぞれ設定する。映像表示装置１が色温度調整を行っている間は、色温度に応じたＲ、Ｇ、Ｂ各々の階調補正カーブに基づいて補正した映像信号のＲＧＢ階調が出力階調に設定される。
階調補正テーブル１５にはバックアップテーブルが用意され、色温度調整を終了するときは、バックアップテーブルから階調補正テーブル１５にデータがコピーされ色温度調整を実行しない通常のデータに戻すことが出来る。
【００１６】
階調補正部１６は、図２に示す階調補正テーブル１５を参照して、輝度色差階調変換部１４から入力した映像信号のＲＧＢ階調を出力階調ｙに変換する補正を行う。すなわち、入力した映像信号のＲ、Ｇ、Ｂ信号の各階調が、入力階調ｘに応じてそれぞれＲ(red)、Ｇ(green)、Ｂ(blue)に変換される。例えば入力階調ｘが２の場合、Ｒ(red)＝ｙｒ２、Ｇ(green)＝ｙｇ２、Ｂ(blue)＝ｙｂ２が設定される。なお、図２で示した入力階調ｘは０〜２５５であるが、これには限定されないことは明らかである。
【００１７】
液晶パネル駆動部１７は階調補正部１６からＲ、Ｇ、Ｂ各々の階調信号を入力し、水平同期信号及び垂直同期信号に基づいて同期をとってこれらＲ、Ｇ、Ｂ各々の階調信号を順次液晶パネル３に出力する。
【００１８】
バックライトインバータ制御部１８は、システムコントローラ１９からの指令によりバックライト４の発光駆動の制御を行う。
【００１９】
システムコントローラ１９は、映像表示装置１の全体の制御を行う。また、システムコントローラ１９の実行するプログラムやこのプログラム動作中の一時的なデータはメモリ２０に記憶される。リモコン受信部２１は、ユーザがリモコン５から設定する色温度調整の開始・終了などの操作信号を受信し、システムコントローラ１９に出力する。照度センサ受信部２２は、照度センサ６が計測した照度を受信し、システムコントローラ１９に出力する。通信インタフェース部２３は、パソコンや外部記憶装置（ＤＶＤ、ビデオ装置、ＨＤＤ（ハードディスク）、半導体メモリなど）などの外部装置７との間で、映像信号及び音声信号をやり取りするためのインタフェースである。システムバス２４は、各箇所を接続し、映像表示装置１で受け渡しされる信号やデータを処理する。
【００２０】
図１の映像表示装置１における画面の色温度を自動的に調整を行う構成について、以下説明する。
照度輝度変換テーブル２５は、図３に示すように周囲の照度の範囲に応じたバックライトの輝度を設定するテーブルである。照度輝度変換テーブル２５は、照度範囲(lx)は、照度が０≦ｌ＜ｌ１、ｌ1≦ｌ＜ｌ２、・・・のように区分けされ、これら各々に対応して輝度（cd/m2）がｋ１、ｋ２、ｋ３・・・のように設定されている。
【００２１】
輝度決定部２６は、照度センサ６が計測した照度を入力し、図３に示す構成の照度輝度変換テーブル２５を参照してバックライトの輝度を決定する。
【００２２】
輝度関数式変換テーブル２７は、図４に示すようにバックライトの輝度範囲に応じた階調カーブを色温度に応じた補正量で補正した階調補正カーブの関数式が設定されているテーブルである。階調カーブとは、映像信号のＲＧＢ階調を調整するもので、階調カーブは関数式で表される。階調カーブの上記補正量は、階調カーブを色温度に応じるように補正するための補正量である。ここで、階調カーブとは色温度の補正していない特性カーブを意味し、階調補正カーブとは色温度に応じるように階調カーブの各入力階調における補正量で補正したものを意味する。
基準の階調カーブ（点線で示した）、階調カーブの補正量(補正量ｒ、ｇ、ｂ)、Ｒ，Ｇ，Ｂの各階調補正カーブの例を図５に示す。図５は、色温度が高く青味がかった画面のときの例を示している。予め決められた基準の階調カーブに対して出力階調が補正されたＲ、Ｇ、Ｂ各々の階調補正カーブが示されている。図５に示すようにＲ、Ｇ、Ｂ各々の階調補正カーブの入力階調ｘ＝２５５のときの階調補正カーブに対する補正量は、ｒ(％)、ｇ(％)、ｂ(％)となる。図５の例のように、色温度が高ければ高いほどＢの補正量は小さくなり、Ｒの補正量は大きくなる（すなわち、Ｂの占める割合が大きくなり青味がかる）。また、図示はしていないが、これとは逆に色温度が低くければ低いほどＲの補正量は小さくなり、Ｂの補正量は大きくなる（すなわち、Ｒの占める割合が大きくなり赤味がかる）。このようにバックライトの輝度の範囲ごとにその範囲の輝度に対応するＲ、Ｇ、Ｂ各々の階調補正カーブを検証して予め決めておく。図４の輝度関数式変換テーブル２７の階調補正カーブの関数式には、図５に示したようなＲ、Ｇ、Ｂの階調補正カーブが輝度範囲に対応して設定される。
【００２３】
色温度階調カーブ補正部２８は、図４に示す構成の輝度関数式変換テーブル２７を参照して、バックライト輝度に対応した色温度の階調補正カーブを、Ｒ(red)についての関数式ｆ1r〜ｆｎr、Ｇ(green)についての関数式ｆ１g〜ｆｎｇ、Ｂ(blue)についての関数式ｆ１ｂ〜ｆｎｂとして決定し、この決定した関数式を階調補正テーブル１５に出力する。
【００２４】
図６は、本発明の第１の実施の形態における、色温度調整の処理の流れを示すフローチャートである。図６のフローチャートに示すステップ順に基づいて以下説明する。
【００２５】
画面の色温度を周囲の照度に応じて自動的に調整する色温度調整は、映像表示装置の電源が投入されユーザがリモコン５から色温度調整の開始操作を行うとシステムコントローラ１９より一定周期で色温度調整が実行される。また、ユーザがリモコン５から色温度調整の終了操作を行った場合には、システムコントローラ１９は、階調補正テーブル１５のバックアップテーブルからデータをコピーし、階調補正テーブル１５を色温度調整を実行しない通常のデータに戻し、色温度調整を終了する。
【００２６】
色温度調整を開始するとシステムコントローラ１９は、照度センサ６が計測した照度を照度センサ受信部２２から入力し、入力した照度をメモリ２０に保存する(ステップＡ１)。
【００２７】
システムコントローラ１９は、照度センサ６が計測した照度からバックライト輝度を決定する指令を輝度決定部２６に行う。輝度決定部２６は、ステップＡ１でシステムコントローラ１９がメモリ２０に保存した照度を取り出し、取り出した照度が図３に示す照度輝度変換テーブル２５のどの照度範囲に入るかをチェックし、該当する照度範囲を決定する。次に輝度決定部２６は、照度輝度変換テーブル２５において決定した照度範囲に対応する輝度を取り出し、メモリ２０に保存する。この輝度が周囲の照度に応じたバックライトの輝度となる(ステップＡ２)。
【００２８】
次に、システムコントローラ１９は、映像信号のＲＧＢ階調を調整する階調カーブを色温度に対応するように補正する指令を色温度階調カーブ補正部２８に行う。色温度階調カーブ補正部２８は、ステップＡ２で決定したバックライト輝度をメモリ２０から取り出し、取り出したバックライト輝度が図４に示す輝度関数式変換テーブル２７のどの輝度範囲に入るかをチェックし、該当する輝度範囲を決定する。次に色温度階調カーブ補正部２８は、輝度関数式変換テーブル２７において決定した輝度範囲、例えばSm-1≦k＜Smに対応する色温度の階調補正カーブのＲ、Ｇ、Ｂ各々の関数式ｆmr、ｆmg、ｆmｂを取り出す(ステップＡ３)。このＲ、Ｇ、Ｂ各々の関数式が図５示す階調カーブを色温度に対応するように変更する階調補正カーブの関数式である(ステップＡ３)。
【００２９】
次に色温度階調カーブ補正部２８は、ステップＡ３で決定したＲ、Ｇ、Ｂ各々の関数式
ｆｍr 、ｆｍg 、ｆｍb  で図２に示す階調補正テーブル１５に設定されている入力階調ｘを下記に示すように出力階調ｙri、ｙgi、ｙbiに変換し、この出力階調ｙri、ｙgi、ｙbiを階調補正テーブル１５のＲ、Ｇ、Ｂ各々の出力階調Ｒ(red)、Ｇ(green)、Ｂ(blue)に設定する(ステップＡ４)。
ｙri ＝ ｆｍr (ｘ)  (ｘ＝０〜255 、ｙri  ：ｉ＝０〜255)
ｙgi ＝ ｆｍg (ｘ)  (ｘ＝０〜255 、ｙgi  ：ｉ＝０〜255)
ｙbi ＝ ｆｍb (ｘ)  (ｘ＝０〜255 、ｙbi  ：ｉ＝０〜255)
【００３０】
以上により、階調補正テーブル１５には色温度に応じたＲ、Ｇ、Ｂ各々の階調補正カーブに基づいて補正されたＲ、Ｇ、Ｂ各々の階調が出力階調に設定される。階調補正部１６は、輝度色差階調変換部１４から入力したＲ、Ｇ、Ｂ各々の階調が階調補正テーブル１５のどの入力階調と等しいかをチェックし、等しい入力階調を決定する。この決定した入力階調に該当するＲ、Ｇ、Ｂ各々についての出力階調を取り出し、液晶パネル駆動部１７に出力する。この出力された映像信号のＲＧＢ階調により、周囲の照度に対応した液晶パネル３の輝度に色温度が調整される。
【００３１】
このような第１の実施形態によれば、周囲の照度に基づいて液晶パネルのバックライトの輝度が調整され、更にバックライトの輝度に基づいて液晶パネルに表示される画面の色温度を自動的に調整することが出来る。これにより、ユーザの視覚に違和感のない周囲の明るさに合った色温度に自動的に調整する映像表示装置及びその映像表示方法を提供することが出来る。
【００３２】
（第２の実施の形態）
第２の実施形態の映像表示装置の機能ブロック図は、第１の実施形態である図１の映像表示装置機能ブロック図と同じであるが、照度輝度変換テーブル２５を映像ポジション輝度変換テーブル２９に変更した点が異なっている。この変更箇所以外は図１の第１の実施形態の機能ブロック図と同じであるので、映像ポジション輝度変換テーブル２９に関係しない箇所については、第１の実施形態の機能ブロック図の説明と同じである。
【００３３】
本発明の第２の実施形態は、ユーザがリモコンから設定した映像ポジションに応じてバックライト輝度を決定し、バックライト輝度に応じた色温度となるＲＧＢ階調で液晶パネルを調整することで、画面の色温度を自動的に調整する実施形態である。なお、映像ポジションとは、ユーザ嗜好により設定されるＲ、Ｇ、Ｂの階調であり、リモコンに備わる映像ポジション釦などでユーザが任意に設定できるようになっている。
【００３４】
第２の実施形態の映像表示装置の映像ポジション輝度変換テーブル２９は、図７に示す構成のユーザが設定する映像ポジションに応じたバックライトの輝度が設定されているテーブルである。第２の実施形態では輝度決定部２６は、ユーザがリモコンから設定した映像ポジションを入力し、図７に示す構成の映像ポジション輝度変換テーブル２９を参照してバックライトの輝度を決定する。映像ポジションの主な映像タイプを下記に示す。
映像ポジション      映像タイプ  
１        ：  標準(画質・音質が標準値)
２        ：  映画(コントラスト感を抑えた映像)
３        ：  ゲーム(明るさを抑えて目にやさしい映像)
４        ：  ＰＣ(パソコン用の画面モード)
【００３５】
本発明の第２の実施形態における、色温度調整の処理の流れを示すフローチャートを図８に示す。図８は、第１の実施形態のフローチャートである図６のステップＡ１をステップＢ１に、ステップＡ２をステップＢ２に変更している以外は同じであるので、以下ステップＢ１とステップＢ２について説明する。図８のフローチャートに示すステップＡ３とステップＡ４については、第１の実施形態のフローチャートの説明と同じである。
【００３６】
画面の色温度を映像ポジションに応じて自動的に調整する色温度調整は、映像表示装置の電源が投入され、ユーザがリモコン５の該当映像ポジションの釦を設定することにより開始される。色温度調整を行っている間に映像ポジションの設定が行われるとシステムコントローラ１９より色温度調整が一定周期で実行され、階調補正テーブル１５が色温度に対応するように補正される。また、ユーザがリモコン５から色温度調整の終了操作を行った場合には、システムコントローラ１９は、階調補正テーブル１５のバックアップテーブルからデータをコピーし、階調補正テーブル１５を色温度調整を実行しない通常のデータに戻し、色温度調整を終了する。
【００３７】
色温度調整の開始操作と映像ポジションの設定が行われると、システムコントローラ１９は、リモコン受信部２１から映像ポジションデータを入力し、入力した映像ポジションデータをメモリ２０に保存する(ステップＢ１)。
【００３８】
システムコントローラ１９は、映像ポジションからバックライト輝度を決定する指令を輝度決定部２６に行う。輝度決定部２６は、ステップＢ１でシステムコントローラ１９がメモリ２０に保存した映像ポジションデータを取り出し、取り出した映像ポジションデータが図７に示す映像ポジション輝度変換テーブル２９のどの映像ポジションと同じであるかチェックする。そして同じ映像ポジションに該当する輝度を映像ポジション輝度変換テーブル２９から取り出し、メモリ２０に保存する。この輝度が映像ポジションに応じたバックライトの輝度となる(ステップＢ２)。
続く図８のフローチャートのステップＡ３で行うバックライト輝度から色温度に対応した階調補正カーブの関数式を決定する処理と、ステップＡ４で行う階調補正カーブの関数式でＲＧＢ階調を補正する処理は、第１の実施の形態と同じである。
【００３９】
このような第２の実施形態によれば、ユーザが設定する映像ポジションに基づいて液晶パネルのバックライトの輝度が調整され、更にバックライトの輝度に基づいて液晶パネルに表示される画面の色温度を自動的に調整する映像表示装置及びその映像表示方法を提供することができる。
【００４０】
（第３の実施の形態）
本発明の第３の実施形態は、照度センサにより計測した照度とユーザがリモコンから設定した映像ポジションの両方に応じてバックライト輝度を決定し、バックライト輝度に応じた色温度となるＲＧＢ階調で液晶パネルの色合いを調整することで、画面の色温度を自動的に調整する実施形態である。
【００４１】
本第３の実施形態の映像表示装置の機能ブロック図は、第１の実施形態である図１の映像表示装置機能ブロック図と同じであるが、照度輝度変換テーブル２５を照度映像ポジション輝度変換テーブル３０に変更した点が異なっている。この変更箇所以外は図１の第１の実施形態の機能ブロック図と同じである。
【００４２】
第３の実施形態の映像表示装置の照度映像ポジション輝度変換テーブル３０は、図９に示すように照度センサにより計測した照度とユーザが設定する映像ポジションに対応したバックライトの輝度が設定されているテーブルである。第３の実施形態では輝度決定部２６が、照度センサが計測した照度とユーザがリモコンから設定した映像ポジションを入力し、図９に示す構成の照度映像ポジション輝度変換テーブル３０を参照してバックライトの輝度を決定する。
【００４３】
本発明の第３の実施形態における、色温度調整のフローチャートについては、第１の実施形態のフローチャートである図６のステップＡ１と第２の実施形態のフローチャートである図８のステップＢ１を実施後に、画面の色温度を照度センサにより計測した照度とユーザがリモコンから設定した映像ポジションから輝度を決定するように変更する。以降の処理については、第１の実施形態のフローチャートのステップＡ３以降で行うバックライト輝度から色温度に対応した階調補正カーブの関数式でＲＧＢ階調を補正する処理と同じである。
【００４４】
尚、本発明の第１から第３の実施形態で説明してきたが、上記階調補正カーブの関数式は演算式であってもよく、また入力と出力が対応するテーブルで関数式が表現されたものであってもよい。
【産業上の利用可能性】
【００４５】
本発明は、映像表示装置及びその映像表示方法に好適であるが、映像表示装置及びその映像表示方法に限られるものではない。
【図面の簡単な説明】
【００４６】
【図１】本発明の第１の実施形態である映像表示装置の機能ブロック図
【図２】階調補正テーブルの一例を示す構成図
【図３】照度輝度変換テーブルの一例を示す構成図
【図４】輝度関数式変換テーブルの一例を示す構成図
【図５】階調補正カーブの一例を示す図
【図６】画面の色温度を自動的に調整する処理を示すフローチャート
【図７】本発明の第２の実施形態における映像ポジション輝度変換テーブルの一例を示す構成図
【図８】画面の色温度を自動的に調整する処理を示すフローチャート
【図９】第３の実施形態における照度映像ポジション輝度変換テーブル
【符号の説明】
【００４７】
１・・・映像表示装置
２・・・アンテナ
３・・・液晶パネル
４・・・バックライト
５・・・リモコン
６・・・照度センサ
７・・・外部装置
１１・・チューナ
１２・・ＴＳデコーダ
１３・・映像デコーダ
１４・・輝度色差階調変換部
１５・・階調補正テーブル
１６・・階調補正部
１７・・液晶パネル駆動部
１８・・バックライトインバータ制御部
１９・・システムコントローラ
２０・・メモリ
２１・・リモコン受信部
２２・・照度センサ受信部
２３・・通信インターフェース部
２４・・システムバス
２５・・照度輝度変換テーブル
２６・・輝度決定部
２７・・輝度関数式変換テーブル
２８・・色温度階調カーブ補正部
２９・・映像ポジション輝度変換テーブル
３０・・照度映像ポジション輝度変換テーブル
【図１】
2009031554.tif 000003
【図２】
2009031554.tif 000004
【図３】
2009031554.tif 000005
【図４】
2009031554.tif 000006
【図５】
2009031554.tif 000007
【図６】
2009031554.tif 000008
【図７】
2009031554.tif 000009
【図８】
2009031554.tif 000010
【図９】
2009031554.tif 000011